(57)【要約】  本発明の実施例は、クリッピング方法及び装置を提供する。クリッピング装置は基地局であり、基地局は、ベースバンドユニットBBU及びリモート無線ユニットRRUを含む。BBUは第１のプロセッサを含み、RRUは第２のプロセッサを含む。第１のプロセッサは、N個の入力キャリアを結合した後にクリッピングを実行し、第１レベルのクリッピングの後に取得されたN個のキャリアを出力するように構成され、第２のプロセッサは、第１レベルのクリッピングの後に取得されたN個のキャリアを結合した後にクリッピングを実行し、第２レベルのクリッピングの後に取得されたN個のキャリアを出力するように構成され、Nは2以上の整数である。前述の解決策において、基地局は、基地局が異なるベースバンド処理ボード又はベースバンドチップの処理能力に従って、第１レベルのクリッピングを配備するベースバンド処理ボード又はベースバンドチップを柔軟に選択できるように、BBU及びRRUにおいてクリッピングを別々に実行し、これは、基地局により実行されるクリッピングのスケーラビリティを改善する。
2019505118.tif 000002
【特許請求の範囲】
【請求項１】
ベースバンドユニットBBU及びリモート無線ユニットRRUを含む基地局であって、
前記BBUは第１のプロセッサを含み、前記RRUは第２のプロセッサを含み、
前記第１のプロセッサは、N個の入力キャリアを結合した後にクリッピングを実行し、第１レベルのクリッピングの後に取得されたN個のキャリアを出力するように構成され、
前記第２のプロセッサは、前記第１レベルのクリッピングの後に取得された前記N個のキャリアを結合した後にクリッピングを実行し、第２レベルのクリッピングの後に取得されたN個のキャリアを出力するように構成され、
Nは2以上の整数である基地局。
【請求項２】
前記第１のプロセッサがN個の入力キャリアを結合した後にクリッピングを実行することは、
前記N個の入力キャリアの各キャリアをアップサンプリングし、前記アップサンプリングにおいて使用されるサンプリングレートは、各キャリアの元のサンプリングレートのN倍であり、
N個のアップサンプリングされたキャリアを結合し、結合された信号から雑音を抽出し、各キャリアの雑音を取得するために前記雑音を分割し、
各キャリアの前記雑音をダウンサンプリングし、前記ダウンサンプリングにおいて使用されるサンプリングレートは、各キャリアの前記元のサンプリングレートと同じであり、
前記N個の入力キャリアの各キャリアを遅延させ、それぞれ遅延したキャリアから各キャリアのダウンサンプリングされた雑音をキャンセルし、前記第１レベルのクリッピングの後に取得された各キャリアを取得し、雑音キャンセル中に、それぞれ遅延したキャリアの遅延は、各キャリアの前記ダウンサンプリングされた雑音の遅延と同じであることを含む、請求項１に記載の基地局。
【請求項３】
前記第１のプロセッサは、前記第１レベルのクリッピングの後に取得された前記N個のキャリアを遅延させるように更に構成され、
前記第２のプロセッサは、前記第１レベルのクリッピングの後に取得された前記N個のキャリアを結合する前に、前記第１レベルのクリッピングの後に取得された前記N個のキャリアを遅延させるように更に構成され、
前記第２のプロセッサが前記第１レベルのクリッピングの後に取得された前記N個のキャリアを結合するように構成されるときに、前記第１レベルのクリッピングの後に取得された前記N個のキャリアの間の遅延差は、結合されるべき前記N個のアップサンプリングされたキャリアの間の遅延差と等しい、請求項２に記載の基地局。
【請求項４】
前記第２のプロセッサは、前記第１レベルのクリッピングの後に取得された前記N個のキャリアを結合する前に、前記第１レベルのクリッピングの後に取得された前記N個のキャリアを遅延させるように更に構成され、
前記第２のプロセッサが前記第１レベルのクリッピングの後に取得された前記N個のキャリアを結合するように構成されるときに、前記第１レベルのクリッピングの後に取得された前記N個のキャリアの間の遅延差は、結合されるべき前記N個のアップサンプリングされたキャリアの間の遅延差と等しい、請求項２に記載の基地局。
【請求項５】
前記第１のプロセッサは、雑音キャンセルがそれぞれ遅延したキャリアに対して実行される前に、周波数領域データを取得するために、各キャリアの前記ダウンサンプリングされた雑音に対して高速フーリエ変換FFTを実行し、前記周波数領域データに対して重み付けを実行し、各キャリアの重み付けされたダウンサンプリングされた雑音を取得するために、重み付けされた周波数領域データに対して逆高速フーリエ変換IFFIを実行するように更に構成される、請求項２乃至４のうちいずれか１項に記載の基地局。
【請求項６】
前記N個の入力キャリアによりそれぞれ搬送されるフレームのフレームヘッダは、前記フレームがアンテナに到達するときに整列する、請求項１乃至５のうちいずれか１項に記載の基地局。
【請求項７】
N個の入力キャリアが結合された後にクリッピングを実行し、第１レベルのクリッピングの後に取得されたN個のキャリアを出力するステップと、
前記第１レベルのクリッピングの後に取得された前記N個のキャリアが結合された後にクリッピングを実行し、第２レベルのクリッピングの後に取得されたN個のキャリアを出力するステップと
を含み、
Nは2以上の整数であるクリッピング方法。
【請求項８】
N個の入力キャリアが結合された後にクリッピングを実行することは、
前記N個の入力キャリアの各キャリアをアップサンプリングし、前記アップサンプリングにおいて使用されるサンプリングレートは、各キャリアの元のサンプリングレートのN倍であり、
N個のアップサンプリングされたキャリアを結合し、結合された信号から雑音を抽出し、各キャリアの雑音を取得するために前記雑音を分割し、
各キャリアの前記雑音をダウンサンプリングし、前記ダウンサンプリングにおいて使用されるサンプリングレートは、各キャリアの前記元のサンプリングレートと同じであり、
前記N個の入力キャリアの各キャリアを遅延させ、それぞれ遅延したキャリアから各キャリアのダウンサンプリングされた雑音をキャンセルし、前記第１レベルのクリッピングの後に取得された各キャリアを取得し、雑音キャンセル中に、それぞれ遅延したキャリアの遅延は、各キャリアの前記ダウンサンプリングされた雑音の遅延と同じであることを含む、請求項７に記載のクリッピング方法。
【請求項９】
第１レベルのクリッピングの後に取得されたN個のキャリアを出力する前に、前記第１レベルのクリッピングの後に取得された前記N個のキャリアを遅延させるステップと、
前記第１レベルのクリッピングの後に取得された前記N個のキャリアが結合される前に、前記第１レベルのクリッピングの後に取得された前記N個のキャリアを遅延させるステップと
を更に含み、
前記第１レベルのクリッピングの後に取得された前記N個のキャリアが結合されるときに、前記第１レベルのクリッピングの後に取得された前記N個のキャリアの間の遅延差は、結合されるべき前記N個のアップサンプリングされたキャリアの間の遅延差と等しい、請求項８に記載のクリッピング方法。
【請求項１０】
前記第１レベルのクリッピングの後に取得された前記N個のキャリアが結合される前に、前記第１レベルのクリッピングの後に取得された前記N個のキャリアを遅延させるステップを更に含み、
前記第１レベルのクリッピングの後に取得された前記N個のキャリアが結合されるときに、前記第１レベルのクリッピングの後に取得された前記N個のキャリアの間の遅延差は、結合されるべき前記N個のアップサンプリングされたキャリアの間の遅延差と等しい、請求項８に記載のクリッピング方法。
【請求項１１】
雑音キャンセルがそれぞれ遅延したキャリアに対して実行される前に、周波数領域データを取得するために、各キャリアの前記ダウンサンプリングされた雑音に対して高速フーリエ変換FFTを実行するステップと、
前記周波数領域データに対して重み付けを実行するステップと、
各キャリアの重み付けされたダウンサンプリングされた雑音を取得するために、重み付けされた周波数領域データに対して逆高速フーリエ変換IFFIを実行するステップと
を更に含む、請求項８乃至１０のうちいずれか１項に記載のクリッピング方法。
【請求項１２】
前記N個の入力キャリアによりそれぞれ搬送されるフレームのフレームヘッダは、前記フレームがアンテナに到達するときに整列する、請求項７乃至１１のうちいずれか１項に記載のクリッピング方法。
【発明の詳細な説明】
【技術分野】
【０００１】
本発明の実施例は、通信技術に関し、特にクリッピング方法及び装置に関する。
【背景技術】
【０００２】
無線通信システムでは、電力増幅器の動作効率を改善し、電力増幅器が極めて大きいピーク値を有する受信雑音信号により破損されるのを防止するために、送信機は、信号を送信する前に、送信対象信号に対してクリッピング（clipping）処理を実行する必要がある。現在、広く使用されているクリッピング方式は、クレストファクタ低減（Crest  Factor  Reduction,  CFR）技術であり、これは、信号ピークをスムーズに抑制するための信号処理方法である。クリッピングは、信号のエラーベクトル振幅（Error  Vector  Magnitude,  EVM）の増加を引き起こし、信号を歪ませる可能性がある。したがって、信号がクリッピング処理においてEVMインジケータを満たすことが確保される場合、電力増幅器が線形区間内で動作することを確保するように、信号のピーク対平均電力比（Peak  to  Average  Power  Ratio,  PAPR）はできるだけ低減される。
【０００３】
従来技術では、送信機は、１レベルのクリッピングを使用することによりクリッピング処理を実行し、例えば、基地局は、リモート無線ユニット（Remote  Radio  Unit,  RRU）においてクリッピングを実現し、これは、クリッピングのスケーラビリティ機能を制限する。
【発明の概要】
【０００４】
前述のことを鑑みて、この出願は、クリッピングの柔軟性及びスケーラビリティを改善するためのクリッピング方法及び装置を提供する。
【０００５】
或る態様によれば、本発明の実施例は、ベースバンドユニットBBU及びリモート無線ユニットRRUを含む基地局を提供し、BBUは第１のプロセッサを含み、RRUは第２のプロセッサを含み、第１のプロセッサは、N個の入力キャリアを結合した後にクリッピングを実行し、第１レベルのクリッピングの後に取得されたN個のキャリアを出力するように構成され、第２のプロセッサは、第１レベルのクリッピングの後に取得されたN個のキャリアを結合した後にクリッピングを実行し、第２レベルのクリッピングの後に取得されたN個のキャリアを出力するように構成され、Nは2以上の整数である。
【０００６】
前述の解決策において、基地局は、基地局が異なるベースバンド処理ボード又はベースバンドチップの処理能力に従って、第１レベルのクリッピングを配備するベースバンド処理ボード又はベースバンドチップを柔軟に選択できるように、BBU及びRRUにおいてクリッピングを別々に実行し、これは、基地局により実行されるクリッピングのスケーラビリティを改善する。
【０００７】
１つの可能な実現方式では、第１のプロセッサがN個の入力キャリアを結合した後にクリッピングを実行することは、N個の入力キャリアの各キャリアをアップサンプリングし、アップサンプリングにおいて使用されるサンプリングレートは、各キャリアの元のサンプリングレートのN倍であり、N個のアップサンプリングされたキャリアを結合し、結合された信号から雑音を抽出し、各キャリアの雑音を取得するために雑音を分割し、各キャリアの雑音をダウンサンプリングし、ダウンサンプリングにおいて使用されるサンプリングレートは、各キャリアの元のサンプリングレートと同じであり、N個の入力キャリアの各キャリアを遅延させ、それぞれ遅延したキャリアから各キャリアのダウンサンプリングされた雑音をキャンセルし、第１レベルのクリッピングの後に取得された各キャリアを取得し、雑音キャンセル中に、それぞれ遅延したキャリアの遅延は、各キャリアのダウンサンプリングされた雑音の遅延と同じであることを含む。
【０００８】
前述の解決策において、キャリアの雑音が抽出されて配分された後に、雑音サンプリングレートは、ダウンサンプリングによりキャリアの元のサンプリングレートに回復され、これは、雑音帯域幅を低減し、それにより、BBUとRRUとの間のインタフェースを使用することにより送信される必要のあるキャリアデータの帯域幅を対応して低減する。
【０００９】
１つの可能な実現方式では、第１のプロセッサは、第１レベルのクリッピングの後に取得されたN個のキャリアを遅延させるように更に構成され、第２のプロセッサは、第１レベルのクリッピングの後に取得されたN個のキャリアを結合する前に、第１レベルのクリッピングの後に取得されたN個のキャリアを遅延させるように更に構成され、第２のプロセッサが第１レベルのクリッピングの後に取得されたN個のキャリアを結合するように構成されるときに、第１レベルのクリッピングの後に取得されたN個のキャリアの間の遅延差は、結合されるべきN個のアップサンプリングされたキャリアの間の遅延差と等しい。この実現方式では、第１レベルのクリッピング及び第２レベルのクリッピング中に、異なるキャリアの間の遅延差は同じであり、それにより、クリッピング性能を改善する。
【００１０】
１つの可能な実現方式では、第２のプロセッサは、第１レベルのクリッピングの後に取得されたN個のキャリアを結合する前に、第１レベルのクリッピングの後に取得されたN個のキャリアを遅延させるように更に構成され、第２のプロセッサが第１レベルのクリッピングの後に取得されたN個のキャリアを結合するように構成されるときに、第１レベルのクリッピングの後に取得されたN個のキャリアの間の遅延差は、結合されるべきN個のアップサンプリングされたキャリアの間の遅延差と等しい。この実現方式では、第１レベルのクリッピング及び第２レベルのクリッピング中に、異なるキャリアの間の遅延差は同じであり、それにより、クリッピング性能を改善する。
【００１１】
他の可能な実現方式では、第１のプロセッサは、雑音キャンセルがそれぞれ遅延したキャリアに対して実行される前に、周波数領域データを取得するために、各キャリアのダウンサンプリングされた雑音に対して高速フーリエ変換FFTを実行し、周波数領域データに対して重み付けを実行し、各キャリアの重み付けされたダウンサンプリングされた雑音を取得するために、重み付けされた周波数領域データに対して逆高速フーリエ変換IFFIを実行するように更に構成される。キャリアの雑音は、重み付けのために周波数領域に変換され、これは、周波数領域での細かい粒度の処理を実現し、それにより、クリッピング性能を改善する。
【００１２】
前述の可能な実現方式のいずれか１つでは、N個の入力キャリアによりそれぞれ搬送されるフレームのフレームヘッダは、フレームがアンテナに到達するときに整列する。異なるキャリアにより搬送されるフレームのフレームヘッダは、アンテナが各キャリア信号を送信するときに整列し、これは、キャリアアグリゲーションの要件を満たす。
【００１３】
他の態様によれば、本発明の実施例は、クリッピング方法を提供し、N個の入力キャリアが結合された後にクリッピングを実行し、第１レベルのクリッピングの後に取得されたN個のキャリアを出力するステップと、第１レベルのクリッピングの後に取得されたN個のキャリアが結合された後にクリッピングを実行し、第２レベルのクリッピングの後に取得されたN個のキャリアを出力するステップとを含み、Nは2以上の整数である。
【００１４】
前述の解決策は、分散型のクリッピングを実現し、第１レベルのクリッピング及び第２レベルのクリッピングがクリッピング装置の処理能力に従って柔軟に配備でき、それにより、クリッピング処理の柔軟性を改善する。
【００１５】
１つの可能な実現方式では、N個の入力キャリアが結合された後にクリッピングを実行することは、N個の入力キャリアの各キャリアをアップサンプリングし、アップサンプリングにおいて使用されるサンプリングレートは、各キャリアの元のサンプリングレートのN倍であり、N個のアップサンプリングされたキャリアを結合し、結合された信号から雑音を抽出し、各キャリアの雑音を取得するために雑音を分割し、各キャリアの雑音をダウンサンプリングし、ダウンサンプリングにおいて使用されるサンプリングレートは、各キャリアの元のサンプリングレートと同じであり、N個の入力キャリアの各キャリアを遅延させ、それぞれ遅延したキャリアから各キャリアのダウンサンプリングされた雑音をキャンセルし、第１レベルのクリッピングの後に取得された各キャリアを取得し、雑音キャンセル中に、それぞれ遅延したキャリアの遅延は、各キャリアのダウンサンプリングされた雑音の遅延と同じであることを含む。
【００１６】
前述の解決策において、キャリアの雑音が抽出されて配分された後に、雑音サンプリングレートは、ダウンサンプリングによりキャリアの元のサンプリングレートに回復され、これは、雑音帯域幅を低減し、それにより、キャリアデータの帯域幅を低減する。
【００１７】
１つの可能な実現方式では、クリッピング方法は、基地局により実行される。基地局は、異なるベースバンド処理ボード又はベースバンドチップの処理能力に従って、第１レベルのクリッピングを配備するベースバンド処理ボード又はベースバンドチップを柔軟に選択でき、これは、基地局により実行されるクリッピングのスケーラビリティを改善する。
【００１８】
１つの可能な実現方式では、N個の入力キャリアが結合された後にクリッピングを実行し、第１レベルのクリッピングの後に取得されたN個のキャリアを出力するステップは、BBUにより実行されてもよく、第１レベルのクリッピングの後に取得されたN個のキャリアが結合された後にクリッピングを実行し、第２レベルのクリッピングの後に取得されたN個のキャリアを出力するステップは、RRUにより実行されてもよい。
【００１９】
他の可能な実現方式では、方法は、第１レベルのクリッピングの後に取得されたN個のキャリアを出力する前に、第１レベルのクリッピングの後に取得されたN個のキャリアを遅延させるステップと、第１レベルのクリッピングの後に取得されたN個のキャリアが結合される前に、第１レベルのクリッピングの後に取得されたN個のキャリアを遅延させるステップとを更に含み、第１レベルのクリッピングの後に取得されたN個のキャリアが結合されるときに、第１レベルのクリッピングの後に取得されたN個のキャリアの間の遅延差は、結合されるべきN個のアップサンプリングされたキャリアの間の遅延差と等しい。この実現方式では、第１レベルのクリッピング及び第２レベルのクリッピング中に、異なるキャリアの間の遅延差は同じであり、それにより、クリッピング性能を改善する。
【００２０】
任意選択で、第１レベルのクリッピングの後に取得されたN個のキャリアを出力する前に、第１レベルのクリッピングの後に取得されたN個のキャリアを遅延させるステップは、BBUにより実行されてもよく、第１レベルのクリッピングの後に取得されたN個のキャリアが結合される前に、第１レベルのクリッピングの後に取得されたN個のキャリアを遅延させるステップは、RRUにより実行されてもよい。
【００２１】
更に他の可能な実現方式では、方法は、第１レベルのクリッピングの後に取得されたN個のキャリアが結合される前に、第１レベルのクリッピングの後に取得されたN個のキャリアを遅延させるステップを更に含み、第１レベルのクリッピングの後に取得されたN個のキャリアが結合されるときに、第１レベルのクリッピングの後に取得されたN個のキャリアの間の遅延差は、結合されるべきN個のアップサンプリングされたキャリアの間の遅延差と等しい。この実現方式では、第１レベルのクリッピング及び第２レベルのクリッピング中に、異なるキャリアの間の遅延差は同じであり、それにより、クリッピング性能を改善する。
【００２２】
任意選択で、第１レベルのクリッピングの後に取得されたN個のキャリアが結合される前に、第１レベルのクリッピングの後に取得されたN個のキャリアを遅延させるステップは、RRUにより実行されてもよい。
【００２３】
前述の可能な実現方式のいずれか１つでは、方法は、雑音キャンセルがそれぞれ遅延したキャリアに対して実行される前に、周波数領域データを取得するために、各キャリアのダウンサンプリングされた雑音に対して高速フーリエ変換FFTを実行するステップと、周波数領域データに対して重み付けを実行するステップと、各キャリアの重み付けされたダウンサンプリングされた雑音を取得するために、重み付けされた周波数領域データに対して逆高速フーリエ変換IFFIを実行するステップとを更に含んでもよい。キャリアの雑音は、重み付けのために周波数領域に変換され、これは、周波数領域での細かい粒度の処理を実現し、それにより、クリッピング性能を改善する。
【００２４】
前述の実現方式のいずれか１つでは、N個の入力キャリアによりそれぞれ搬送されるフレームのフレームヘッダは、フレームがアンテナに到達するときに整列する。異なるキャリアにより搬送されるフレームのフレームヘッダは、アンテナが各キャリア信号を送信するときに整列するため、キャリアアグリゲーションの要件が満たされる。
【００２５】
更に他の態様によれば、本発明の実施例は、基地局を提供し、基地局は、前述のクリッピング方法を実現する機能を有する。機能は、ハードウェアにより実現されてもよく、或いは対応するソフトウェアを実行することによりハードウェアにより実現されてもよい。ハードウェアは、前述の機能に対応する１つ以上のモジュールを含む。モジュールは、ソフトウェア及び／又はハードウェアでもよい。
【００２６】
更に他の態様によれば、本発明の実施例は、前述の基地局により使用されるコンピュータプログラム命令を記憶するように構成されたコンピュータ記憶媒体を提供し、コンピュータプログラム命令は、前述の方法を実行するために使用される関係するプログラムを含む。
【図面の簡単な説明】
【００２７】
【図１】本発明の実施例によるクリッピング解決策の概略図である。
【図２】本発明の実施例によるクリッピング装置により実行される第１レベルのクリッピングの概略図である。
【図３】本発明の実施例による基地局の概略構成図である。
【図４】本発明の実施例による他の基地局の概略構成図である。
【発明を実施するための形態】
【００２８】
図１は、本発明の実施例によるクリッピング解決策の概略図である。クリッピング解決策は、基地局又は他のネットワークデバイスのようなクリッピング装置に適用されてもよい。図１に示すように、本発明のこの実施例において提供されるクリッピング解決策では、クリッピングは、N個の入力キャリアが結合された後に実行され、第１レベルのクリッピングの後に取得されたN個のキャリアが出力される。クリッピングは、第１レベルのクリッピングの後に取得されたN個のキャリアが結合された後に再び実行され、第２レベルのクリッピングの後に取得されたN個のキャリアが出力される。説明を明瞭にするために、２つの入力キャリアが存在するシナリオのみが図１に示されており、複数のキャリアもまた存在してもよく、すなわち、Nが2以上の整数でもよいことが理解できる。本発明のこの実施例において提供されるクリッピング解決策は、分散型のクリッピングを実現し、第１レベルのクリッピング及び第２レベルのクリッピングがクリッピング装置の処理能力に従って柔軟に配備でき、それにより、クリッピング処理の柔軟性を改善する。
【００２９】
図２は、図１において提供されるクリッピング装置により実行される第１レベルのクリッピングの概略機能図である。説明を明瞭にするために、２つの入力キャリアが存在するシナリオのみが図２に例示的に示されている。本発明のこの実施例において提供される解決策はまた、複数の入力キャリアが存在するシナリオにも適用可能であることが理解できる。
【００３０】
図２に示すように、クリッピング装置は、アップサンプリングユニット201及び202と、コンバイナユニット203と、雑音処理ユニット204と、ダウンサンプリングユニット205及び206と、遅延ユニット207及び208と、雑音キャンセルユニット209及び210とを含む。
【００３１】
アップサンプリングユニット201及び202は、第１の入力キャリア及び第２の入力キャリアに対してそれぞれアップサンプリングするように構成され、アップサンプリングにおいて使用されるサンプリングレートは、第１の入力キャリアの元のサンプリングレート及び第２の入力キャリアの元のサンプリングレートのそれぞれ２倍である。複数のキャリアのシナリオでは、例えば、N個のキャリアが存在するときに、アップサンプリングにおいて使用されるサンプリングレートは、入力キャリアの元のサンプリングレートのN倍であることが理解できる。
【００３２】
コンバイナユニット203は、アップサンプリングユニット201及び202により出力されたアップサンプリングされた第１のキャリア及びアップサンプリングされた第２のキャリアに対して結合処理を実行し、結合された信号を出力するように構成される。例えば、コンバイナユニット203は、数値制御発振器（Numerically  Controlled  Oscillator,  NCO）により実現されてもよい。
【００３３】
雑音処理ユニット204は、コンバイナユニット203により出力された結合された信号から雑音を抽出し、雑音を分割し、第１のキャリアの雑音及び第２のキャリアの雑音を出力するように構成される。
【００３４】
ダウンサンプリングユニット205及び206は、第１のキャリアの雑音及び第２のキャリアの雑音に対してそれぞれダウンサンプリング処理を実行するように構成され、ダウンサンプリング処理において使用されるサンプリングレートは、第１の入力キャリアの元のサンプリングレート及び第２の入力キャリアの元のサンプリングレートとそれぞれ同じである。キャリアの雑音がダウンサンプリングされた後に、雑音サンプリングレートは、キャリアの元のサンプリングレートに回復され、これは、雑音帯域幅を低減し、それにより、BBUとRRUとの間のインタフェースを使用することにより送信される必要のあるキャリアデータの帯域幅を対応して低減する。
【００３５】
遅延ユニット207及び208は、第１の入力キャリア及び第２の入力キャリアに対してそれぞれ遅延処理を実行し、遅延した第１のキャリア及び遅延した第２のキャリアを出力するように構成される。
【００３６】
一例では、それぞれ雑音キャンセルユニット209及び210において、ダウンサンプリングユニット205及び206により出力された第１のキャリアのダウンサンプリングされた雑音及び第２のキャリアのダウンサンプリングされた雑音と、遅延ユニット207及び208により出力された遅延した第１のキャリア及び遅延した第２のキャリアとに対してキャンセル処理が実行される。キャンセル（cancellation）処理は、逆重畳（reverse  superimposition）でもよい。例えば、キャリアのダウンサンプリングされた雑音は、遅延したキャリアからキャンセルされ、すなわち、キャリアのダウンサンプリングされた雑音は、対応する遅延したキャリアに逆重畳される。好ましくは、雑音キャンセル中に、それぞれ遅延したキャリアの遅延は、対応するキャリアのダウンサンプリングされた雑音の遅延と同じである。換言すると、各キャリア及びキャリアの雑音は、雑音キャンセル中に時間に関して同期しており、すなわち、各キャリア及びキャリアの雑音は、時間に関して整列する。
【００３７】
雑音キャンセルユニット209は、第１レベルのクリッピングの後に取得された第１のキャリアを取得するために、遅延した第１のキャリアから第１のキャリアのダウンサンプリングされた雑音をキャンセルし、第１レベルのクリッピングの後に取得された第１のキャリアを出力するように構成され、第１の雑音キャンセルユニット209において、遅延した第１のキャリアの遅延は、第１のキャリアのダウンサンプリングされた雑音の遅延と同じである。
【００３８】
雑音キャンセルユニット210は、第１レベルのクリッピングの後に取得された第２のキャリアを取得するために、遅延した第２のキャリアから第２のキャリアのダウンサンプリングされた雑音をキャンセルし、第１レベルのクリッピングの後に取得された第２のキャリアを出力するように構成され、第２の雑音キャンセルユニット210において、遅延した第２のキャリアの遅延は、第２のキャリアのダウンサンプリングされた雑音の遅延と同じである。
【００３９】
雑音キャンセルユニットにおいて、それぞれ遅延したキャリアの遅延は、各キャリアのダウンサンプリングされた雑音の遅延と同じであり、これは、雑音キャンセル性能を改善してもよく、それにより、クリッピング性能を改善する。
【００４０】
他の例では、クリッピング装置は、周波数領域重み付けユニット213及び214を更に含んでもよい。周波数領域重み付けユニットは、ダウンサンプリングユニット205及び206により出力された第１のキャリアのダウンサンプリングされた雑音及び第２のキャリアのダウンサンプリングされた雑音に対してそれぞれ高速フーリエ変換（Fast  Fourier  Transform,  FFT）を実行し、FFT処理の後に取得された周波数領域データに対して重み付けを実行し、第１のキャリアの重み付けされたダウンサンプリングされた雑音及び第２のキャリアの重み付けされたダウンサンプリングされた雑音を取得するために、重み付けされた周波数領域データに対して逆高速フーリエ変換（Inverse  Fast  Fourier  Transform,  IFFI）を実行する。
【００４１】
周波数領域重み付けユニットの処理の後に、周波数領域での細かい粒度の処理が実現され、クリッピング性能が改善される。通信システムの発展によって、異なるサービス信号は、異なるEVMインジケータ及び電力要件を有し、適応変調及びより高次の変調もまた、周波数領域での細かい粒度のクリッピングに対する要件を課す。前述の実施例では、キャリアの雑音は、重み付けのために周波数領域に変換され、重み付けパラメータは、実際のシステム要件に従って柔軟に設定されてもよく、これは、周波数領域での雑音の細かい粒度の配分を実現し、通信システムの発展要件を満たす。
【００４２】
第１のキャリアの重み付けされたダウンサンプリングされた雑音及び第２のキャリアの重み付けされたダウンサンプリングされた雑音は、雑音キャンセルユニット209及び210に出力される。雑音キャンセルユニット209及び210は、遅延ユニット207及び208により出力された遅延した第１のキャリア及び遅延した第２のキャリアと、周波数領域重み付けユニット213及び214により出力された第１のキャリアの雑音及び第２のキャリアの雑音とに対してキャンセル処理を別々に実行し、第１レベルのクリッピングの後に取得された第１のキャリア及び第２のキャリアをそれぞれ出力する。好ましくは、雑音キャンセルユニット209及び210が雑音キャンセルを実行するときに、遅延ユニット207及び208により出力される遅延したキャリアの遅延は、周波数領域重み付けユニット213及び214により出力されるキャリアの対応する雑音の遅延と同じである。換言すると、各キャリア及びキャリアの対応する雑音は、雑音キャンセル中に時間に関して同期しており、すなわち、各キャリア及びキャリアの対応する雑音は、時間に関して整列する。
【００４３】
任意選択で、クリッピング装置は、入力キャリアがアップサンプリングユニット201及び202において時間に関して同期しているように、アップサンプリングユニット201及び202の入力キャリアに対して遅延処理を実行するように構成された遅延調整ユニット（図２に図示せず）を更に含んでもよい。
【００４４】
任意選択で、クリッピング装置は、第１レベルのクリッピングの後に取得され且つ雑音キャンセルユニット209及び210により出力された第１のキャリア及び第２のキャリアに対してそれぞれ遅延処理を実行するように構成された遅延ユニット211及び212を更に含んでもよい。第２レベルのクリッピングのための装置の遅延処理を参照して、異なるキャリアの間の遅延差が２回の結合中に一致したままになってもよい。
【００４５】
第１レベルのクリッピングの後に取得された第１のキャリア及び第２のキャリアは、結合及びクリッピングのために、第２レベルのクリッピング処理の入力キャリアとして使用され、次に、第２レベルのクリッピングの後に取得された第１のキャリア及び第２のキャリアが出力される。一例では、第２レベルのクリッピング処理のために、前述の第１レベルのクリッピング処理のものと同様の方法が使用されてもよい。詳細については、前述の説明に参照が行われてもよく、詳細はここでは説明しない。他の例では、高電力のグリッチを抑制する効果を達成するために、第２レベルのクリッピング処理のために、既存のクリッピングアルゴリズム（ピーククリッピング及びKernelクリッピング等）、クリッピング回路又はチップもまた使用されてもよく、或いは新たなクリッピングアルゴリズム、回路又はチップが使用されてもよい。
【００４６】
本発明のこの実施例において提供されるクリッピング解決策では、好ましくは２つのレベルのクリッピング処理が提供される。本発明のこの実施例において提供されるクリッピング解決策を参照して、複数のレベルのクリッピング処理もまた要件に従って実行されてもよいことが理解できる。
【００４７】
以下に、本発明の実施例において提供されるクリッピング解決策を詳細に説明するために、基地局がクリッピング装置として使用される例を使用する。図３は、基地局の概略構成図を示している。基地局は、ベースバンドユニット（BaseBand  Unit,  BBU）30と、リモート無線ユニット（Remote  Radio  Unit,  RRU）31とを含む。１つ以上のキャリアに対してベースバンド処理を実行した後に、BBU330は、中間周波数及び無線周波数処理のために信号をRRUに送信する。BBU30は、一般的には１つ以上のBBUボードを含み、各BBUボードは、１つ以上のキャリアを処理するように構成される。RRU31は、１つ以上の無線周波数チャネルを含んでもよい。RRU31内の１つの無線周波数チャネルは、BBU30から１つ以上のキャリアを受信して処理してもよい。BBU30は、１つ以上のセルのキャリアを処理してもよく、異なるアクセス標準を有するセルのキャリアを更に処理してもよい。説明を明確にするために、図３は、１つのRRU31が２つのBBUボードに接続するシナリオのみを示している。図３が基地局の機能分割のみを示していることが理解できる。物理エンティティでは、BBU30及びRRU31は別々に配置されてもよく、これは一般的には分散型基地局と呼ばれ、或いはBBU30及びRRU31は一緒に配置されてもよい。
【００４８】
ベースバンドユニットBBU30は、前述の実施例におけるクリッピング解決策において第１レベルのクリッピング処理を実行するように構成された１つ以上の第１のプロセッサ301を含む。例えば、図４に示すように、２つ以上のBBUボードは、１つの第１のプロセッサ301を共有する。１つの第１のプロセッサはまた、各BBUボードに配置されてもよいことが理解できる。
【００４９】
RRU31は、前述の実施例におけるクリッピング解決策において第２レベルのクリッピング処理を実行するように構成された１つ以上の第２のプロセッサ311を含む。例えば、図４は、RRU31が第２のプロセッサ311を含む例を示している。
【００５０】
BBU30は、１つ以上のインタフェースを使用することによりRRU31に接続される。一例では、インタフェースは、コモン・パブリック・ラジオ・インタフェース（Common  Public  Radio  Interface,  CPRI）でもよい。
【００５１】
本発明のこの実施例では、第１のプロセッサ301又は第２のプロセッサ311は、同じ基板若しくはキャビネット又は異なる基板若しくはキャビネットに配置された２つ以上のチップ、例えば、汎用プロセッサチップ、フィールドプログラマブルゲートアレイ（Field-Programmable  Gate  Array,  FPGA)チップ、特定用途向け集積回路（Application  Specific  Integrated  Circuit）ASICチップ及びデジタルシグナルプロセッサ（Digital  Signal  Processor,  DSP）チップでもよい点に留意すべきである。
【００５２】
具体的には、第１のプロセッサ301は、入力キャリアを結合した後にクリッピングを実行し、第１レベルのクリッピングの後に取得されたキャリアを出力するように構成される。
【００５３】
第２のプロセッサ311は、第１レベルのクリッピングの後に取得されたキャリアを結合した後にクリッピングを再び実行し、第２レベルのクリッピングの後に取得されたキャリアを出力するように構成される。第１レベルのクリッピング処理及び第２レベルのクリッピング処理の詳細な処理について、図２及び前述の実施例におけるクリッピング解決策の関係する説明に参照が行われてもよく、詳細はここでは説明しない。
【００５４】
本発明のこの実施例において提供される解決策は、１つ以上のキャリアが存在するシナリオに適用可能でもよいことが理解できる。複数のキャリアのシナリオでは、RRUの１つの無線周波数チャネルは、一般的には複数のベースバンド処理ボード又はベースバンドチップに対応し、異なるベースバンド処理ボード又はチップは、異なる処理能力を有する。
【００５５】
本発明のこの実施例において提供される解決策によれば、クリッピング処理は、実現のためにBBU及びRRUに分散されてもよい。したがって、ベースバンド処理ボード又はベースバンドチップは、第１レベルのクリッピングを配備するために、異なるベースバンド処理ボード又はベースバンドチップの処理能力に従って柔軟に選択でき、これは、基地局により実行されるクリッピングのスケーラビリティを改善する。
【００５６】
一例では、クリッピング処理は、第１レベルのクリッピングのためにBBUに主に配備されてもよい。RRUにおいて配備された第２レベルのクリッピングは、電力増幅器に送信される信号が短期の高電力のグリッチを有し、これが電力増幅器が定格電力を超えることを引き起こすことを主に回避するためのものである。例えば、第２レベルのクリッピングの具体的な実現について、高電力のグリッチを抑制する効果を達成するために、従来技術における既存のクリッピングアルゴリズム、クリッピング回路又はチップが使用されてもよく、或いは新たなクリッピングアルゴリズム、回路又はチップが使用されてもよい。
【００５７】
他の例では、RRUが複数の無線周波数チャネルをサポートするシナリオにおいて、異なる無線周波数チャネルに対応するクリッピング処理は、基地局の負荷バランシングを実現するために、異なるベースバンド処理ボード又はベースバンドチップに配備されてもよい。
【００５８】
一例では、BBU30が入力キャリアに対して第１レベルのクリッピングを完了した後に、第２レベルのクリッピングのために第１レベルのクリッピングの後に取得された入力キャリアをRRU31に送信するときに、異なるキャリアが異なる送信パスを有するため、異なるキャリアは、異なる遅延でRRU31に到達し得る。例えば、異なるキャリアがファイバを使用することによりRRUに送信されるときに、ファイバの異なる長さ又は光インタフェースの異なる送信遅延のため、異なるキャリアが結合のためにRRUに到達するときに２つのキャリアの間の位相関係は変化し得る。したがって、異なるキャリアの間の遅延差が２回の結合中に一致したままになることが確保される必要がある。
【００５９】
例えば、遅延処理は、結合中に異なるキャリアの間の等しい遅延差を実現するように、第１のプロセッサ301及び第２のプロセッサ311により別々に実行されてもよい。他の例では、遅延処理は、第２のプロセッサ311のみにより実行されてもよく、すなわち、遅延処理は、異なるキャリアの間の遅延差が等しくなるように、第１レベルのクリッピングの後に取得されたキャリアが結合される前に実行され、それにより、クリッピング性能を改善する。
【００６０】
本発明のこの実施例では、任意選択で、第１の入力キャリア及び第２の入力キャリアによりそれぞれ搬送されるフレームのフレームヘッダは、フレームがアンテナに到達するときに整列する。
【００６１】
キャリアアグリゲーション（Carrier  Aggregation,  CA）の要件を満たすために、異なるキャリアにより搬送されるフレームのフレームヘッダは、アンテナが各キャリア信号を送信するときに整列する必要がある。
【００６２】
本発明のこの実施例では、異なるキャリアが異なる電力を有するときに、BBU30は、キャリアの電力を均等にするために、キャリアに対して電力補償を実行してもよい。異なるキャリアが同じ無線周波数チャネル上で異なる周波数応答を有するときに、BBU30は、キャリアに対して位相補償及び振幅補償を更に実行してもよい。周波数応答は、RRU31によりBBU30に報告されてもよい。
【００６３】
基地局についての前述の説明は、単に本発明の実施例の目的を達成するための関係する構成を例示的に提供しているに過ぎない点に留意すべきである。当業者は、ベースバンドチップ、アンテナ及び必要な電子回路のように、基地局が基地局の機能を実現するために要求される必要な構成を更に含んでもよいことを理解できる。詳細については、従来技術における基地局の関係する構成に参照が行われてもよく、詳細はここでは説明しない。
【００６４】
前述の実施例の説明により、当業者は、本発明がハードウェア、ファームウェア又はこれらの組み合わせにより実現されてもよいことを明確に理解し得る。本発明がソフトウェアにより実現されるときに、前述の機能は、コンピュータ読み取り可能媒体に記憶されてもよく、或いはコンピュータ読み取り可能媒体内の１つ以上の命令又はコードとして送信されてもよい。コンピュータ読み取り可能媒体は、コンピュータ記憶媒体と、通信媒体とを含み、通信媒体は、コンピュータプログラムが１つの場所から他に送信されることを可能にするいずれかの媒体を含む。記憶媒体は、コンピュータにアクセス可能ないずれか利用可能な媒体でもよい。以下に例を提供するが、限定を課すものではない。コンピュータ読み取り可能媒体は、RAM、ROM、EEPROM、CD-ROM若しくは他の光ディスクストレージ、又はディスク記憶媒体、又は他の磁気記憶デバイス、又は命令若しくはデータ構造の形式で予期されるプログラムコードを搬送又は記憶でき且つコンピュータによりアクセスできる他の媒体を含んでもよい。さらに、いずれかの接続は、コンピュータ読み取り可能媒体として適切に規定されてもよい。例えば、ソフトウェアが同軸ケーブル、光ファイバ／ケーブル、ツイストペア、デジタル加入者線（DSL）、又は赤外線、無線及びマイクロ波のような無線技術を使用することによりウェブサイト、サーバ又は他のリモートソースから送信される場合、同軸ケーブル、光ファイバ／ケーブル、ツイストペア、DSL、又は赤外線、無線及びマイクロ波のような無線技術は、これらが属する媒体の規定に含まれる。例えば、本発明により使用されるディスク（Disk）及びディスク（disc）は、コンパクトディスク（CD）、レーザーディスク、光ディスク、デジタル多目的ディスク（DVD）、フロッピーディスク、ブルーレイディスクを含み、ディスク（disk）は、一般的に磁気手段によりデータをコピーし、ディスク（disc）は、レーザー手段により光学的にデータをコピーする。前述の組み合わせもまた、コンピュータ読み取り可能媒体の保護範囲内に含まれるべきである。
【００６５】
要するに、前述の実現方式において、本発明の目的、技術的解決策及び有利な効果を詳細に説明した。前述の説明は、本発明の技術的解決策の単に具体的な実現方式に過ぎず、本発明の保護範囲を限定することを意図するものではないことが理解できる。本発明の技術的解決策に基づいて行われる如何なる変更、等価置換又は改善も、本発明の保護範囲内に入るものとする。
【図１】
2019505118.tif 000003
【図２】
2019505118.tif 000004
【図３】
2019505118.tif 000005
【図４】
2019505118.tif 000006
【手続補正書】
【提出日】平成30年7月4日(2018.7.4)
【手続補正１】
【補正対象書類名】特許請求の範囲
【補正対象項目名】全文
【補正方法】変更
【補正の内容】
【特許請求の範囲】
【請求項１】
ベースバンドユニット（BBU）及びリモート無線ユニット（RRU）を含む基地局であって、
前記BBUは第１のプロセッサを含み、前記RRUは第２のプロセッサを含み、
前記第１のプロセッサは、N個の入力キャリアを結合した後にクリッピングを実行し、第１レベルのクリッピングの後に取得されたN個のキャリアを出力するように構成され、
前記第２のプロセッサは、前記第１レベルのクリッピングの後に取得された前記N個のキャリアを結合した後にクリッピングを実行し、第２レベルのクリッピングの後に取得されたN個のキャリアを出力するように構成され、
Nは2以上の整数である基地局。
【請求項２】
前記第１のプロセッサがN個の入力キャリアを結合した後にクリッピングを実行することは、
前記N個の入力キャリアの各キャリアをアップサンプリングし、前記アップサンプリングにおいて使用されるサンプリングレートは、各キャリアの元のサンプリングレートのN倍であり、
N個のアップサンプリングされたキャリアを結合し、結合された信号から雑音を抽出し、各キャリアの雑音を取得するために前記雑音を分割し、
各キャリアの前記雑音をダウンサンプリングし、前記ダウンサンプリングにおいて使用されるサンプリングレートは、各キャリアの前記元のサンプリングレートと同じであり、
前記N個の入力キャリアの各キャリアを遅延させ、それぞれ遅延したキャリアから各キャリアのダウンサンプリングされた雑音をキャンセルし、前記第１レベルのクリッピングの後に取得された各キャリアを取得し、雑音キャンセル中に、それぞれ遅延したキャリアの遅延は、各キャリアの前記ダウンサンプリングされた雑音の遅延と同じであることを含む、請求項１に記載の基地局。
【請求項３】
前記第１のプロセッサは、前記第１レベルのクリッピングの後に取得された前記N個のキャリアを遅延させるように更に構成され、
前記第２のプロセッサは、前記第１レベルのクリッピングの後に取得された前記N個のキャリアを結合する前に、前記第１レベルのクリッピングの後に取得された前記N個のキャリアを遅延させるように更に構成され、
前記第２のプロセッサが前記第１レベルのクリッピングの後に取得された前記N個のキャリアを結合するときに、前記第１レベルのクリッピングの後に取得された前記N個のキャリアの間の遅延差は、結合されるべき前記N個のアップサンプリングされたキャリアの間の遅延差と等しい、請求項２に記載の基地局。
【請求項４】
前記第２のプロセッサは、前記第１レベルのクリッピングの後に取得された前記N個のキャリアを結合する前に、前記第１レベルのクリッピングの後に取得された前記N個のキャリアを遅延させるように更に構成され、
前記第２のプロセッサが前記第１レベルのクリッピングの後に取得された前記N個のキャリアを結合するときに、前記第１レベルのクリッピングの後に取得された前記N個のキャリアの間の遅延差は、結合されるべき前記N個のアップサンプリングされたキャリアの間の遅延差と等しい、請求項２に記載の基地局。
【請求項５】
前記第１のプロセッサは、雑音キャンセルがそれぞれ遅延したキャリアに対して実行される前に、周波数領域データを取得するために、各キャリアの前記ダウンサンプリングされた雑音に対して高速フーリエ変換（FFT）を実行し、前記周波数領域データに対して重み付けを実行し、各キャリアの重み付けされたダウンサンプリングされた雑音を取得するために、重み付けされた周波数領域データに対して逆高速フーリエ変換（IFFT）を実行するように更に構成される、請求項２に記載の基地局。
【請求項６】
前記N個の入力キャリアによりそれぞれ搬送されるフレームのフレームヘッダは、前記フレームがアンテナに到達するときに整列する、請求項１に記載の基地局。
【請求項７】
N個の入力キャリアが結合された後にクリッピングを実行し、第１レベルのクリッピングの後に取得されたN個のキャリアを出力するステップと、
前記第１レベルのクリッピングの後に取得された前記N個のキャリアが結合された後にクリッピングを実行し、第２レベルのクリッピングの後に取得されたN個のキャリアを出力するステップと
を含み、
Nは2以上の整数であるクリッピング方法。
【請求項８】
N個の入力キャリアが結合された後にクリッピングを実行することは、
前記N個の入力キャリアの各キャリアをアップサンプリングし、前記アップサンプリングにおいて使用されるサンプリングレートは、各キャリアの元のサンプリングレートのN倍であり、
N個のアップサンプリングされたキャリアを結合し、結合された信号から雑音を抽出し、各キャリアの雑音を取得するために前記雑音を分割し、
各キャリアの前記雑音をダウンサンプリングし、前記ダウンサンプリングにおいて使用されるサンプリングレートは、各キャリアの前記元のサンプリングレートと同じであり、
前記N個の入力キャリアの各キャリアを遅延させ、それぞれ遅延したキャリアから各キャリアのダウンサンプリングされた雑音をキャンセルし、前記第１レベルのクリッピングの後に取得された各キャリアを取得し、雑音キャンセル中に、それぞれ遅延したキャリアの遅延は、各キャリアの前記ダウンサンプリングされた雑音の遅延と同じであることを含む、請求項７に記載のクリッピング方法。
【請求項９】
第１レベルのクリッピングの後に取得されたN個のキャリアを出力する前に、前記第１レベルのクリッピングの後に取得された前記N個のキャリアを遅延させるステップと、
前記第１レベルのクリッピングの後に取得された前記N個のキャリアが結合される前に、前記第１レベルのクリッピングの後に取得された前記N個のキャリアを遅延させるステップと
を更に含み、
前記第１レベルのクリッピングの後に取得された前記N個のキャリアが結合されるときに、前記第１レベルのクリッピングの後に取得された前記N個のキャリアの間の遅延差は、結合されるべき前記N個のアップサンプリングされたキャリアの間の遅延差と等しい、請求項８に記載のクリッピング方法。
【請求項１０】
前記第１レベルのクリッピングの後に取得された前記N個のキャリアが結合される前に、前記第１レベルのクリッピングの後に取得された前記N個のキャリアを遅延させるステップを更に含み、
前記第１レベルのクリッピングの後に取得された前記N個のキャリアが結合されるときに、前記第１レベルのクリッピングの後に取得された前記N個のキャリアの間の遅延差は、結合されるべき前記N個のアップサンプリングされたキャリアの間の遅延差と等しい、請求項８に記載のクリッピング方法。
【請求項１１】
雑音キャンセルがそれぞれ遅延したキャリアに対して実行される前に、周波数領域データを取得するために、各キャリアの前記ダウンサンプリングされた雑音に対して高速フーリエ変換（FFT）を実行するステップと、
前記周波数領域データに対して重み付けを実行するステップと、
各キャリアの重み付けされたダウンサンプリングされた雑音を取得するために、重み付けされた周波数領域データに対して逆高速フーリエ変換（IFFT）を実行するステップと
を更に含む、請求項８に記載のクリッピング方法。
【請求項１２】
前記N個の入力キャリアによりそれぞれ搬送されるフレームのフレームヘッダは、前記フレームがアンテナに到達するときに整列する、請求項７に記載のクリッピング方法。
【手続補正２】
【補正対象書類名】明細書
【補正対象項目名】００２３
【補正方法】変更
【補正の内容】
【００２３】
前述の可能な実現方式のいずれか１つでは、方法は、雑音キャンセルがそれぞれ遅延したキャリアに対して実行される前に、周波数領域データを取得するために、各キャリアのダウンサンプリングされた雑音に対して高速フーリエ変換FFTを実行するステップと、周波数領域データに対して重み付けを実行するステップと、各キャリアの重み付けされたダウンサンプリングされた雑音を取得するために、重み付けされた周波数領域データに対して逆高速フーリエ変換IFFTを実行するステップとを更に含んでもよい。キャリアの雑音は、重み付けのために周波数領域に変換され、これは、周波数領域での細かい粒度の処理を実現し、それにより、クリッピング性能を改善する。
【手続補正３】
【補正対象書類名】明細書
【補正対象項目名】００４０
【補正方法】変更
【補正の内容】
【００４０】
他の例では、クリッピング装置は、周波数領域重み付けユニット213及び214を更に含んでもよい。周波数領域重み付けユニットは、ダウンサンプリングユニット205及び206により出力された第１のキャリアのダウンサンプリングされた雑音及び第２のキャリアのダウンサンプリングされた雑音に対してそれぞれ高速フーリエ変換（Fast  Fourier  Transform,  FFT）を実行し、FFT処理の後に取得された周波数領域データに対して重み付けを実行し、第１のキャリアの重み付けされたダウンサンプリングされた雑音及び第２のキャリアの重み付けされたダウンサンプリングされた雑音を取得するために、重み付けされた周波数領域データに対して逆高速フーリエ変換（Inverse  Fast  Fourier  Transform,  IFFT）を実行する。
【国際調査報告】
2019505118.tif 000007
2019505118.tif 000008
2019505118.tif 000009
2019505118.tif 000010